(57)【要約】【課題】  アナログ伝送ネットワークのためのデジタル映像処理機能を有するカメラ装置を提供すること。【解決手段】  カメラ装置は、第１の解像度を有するデジタル映像データの各フレームを、同一のＮ個の領域に区分し、各領域に順番を付与し、当該領域の順番によりインタレースし、Ｎ個のフィールドに変換処理し、アナログ伝送ネットワークを介して伝送する。カメラ装置で生成したＨＤＴＶと同水準の高解像度映像データは、アナログ方式であるＮＴＳＣ、ＰＡＬ、ＳＥＣＡＭの規格によるアナログ映像データの伝送のために敷設されているアナログ伝送ネットワークをそのまま用いて、映像表示装置で再生され得る。【選択図】  図１
2008104146.tif 000002
【特許請求の範囲】
【請求項１】
デジタル映像表示規格の映像フレームを表示するためのデジタル映像データを提供するステップと、
アナログ映像表示規格の複数の映像フレームを表示するような複数のフィールドを生成するために、前記デジタル映像データを処理するステップと、を含み、
前記処理ステップは、
前記デジタル映像データを、そのそれぞれが前記デジタル映像表示規格の映像フレームを構成する一部分を示す複数のサブデータに分割するステップと、
前記複数のサブデータを複数のフィールドに生成するためにインタレースするステップと、を含むことを特徴とするデジタル映像データの処理方法。
【請求項２】
前記映像フレームを構成する各一部分は、同一の形状および大きさを有することを特徴とする請求項１に記載のデジタル映像データの処理方法。
【請求項３】
前記それぞれのサブデータは、複数の映像ラインを含み、
前記インタレースステップは、前記複数のサブデータのそれぞれから少なくとも一つの映像ラインを集めるステップと、
前記複数のフィールド中の一つを生成するために、前記集められた映像ラインを編成するステップと、
他のフィールドを生成するために、前記集まりおよび編成を繰り返すステップと、を含むことを特徴とする請求項１に記載のデジタル映像データの処理方法。
【請求項４】
前記複数のフィールド中の一つを暗号化するステップをさらに含むことを特徴とする請求項１に記載のデジタル映像データの処理方法。
【請求項５】
前記アナログ映像表示規格は、ＮＴＳＣ、ＰＡＬ、ＳＥＣＡＭの規格よりなる群から選ばれたいずれか一つであることを特徴とする請求項１に記載のデジタル映像データの処理方法。
【請求項６】
デジタル映像表示規格の映像フレームを表示するようなデジタル映像データを受信するためのデジタル映像入力ポートと、
アナログ映像表示規格の複数の映像フレームを表示するような複数のフィールドを生成するために、前記デジタル映像データを処理するデジタル映像プロセッサと、を含み、
前記デジタル映像プロセッサは、前記デジタル映像データを、そのそれぞれが前記デジタル映像表示規格の映像フレームを構成する一部分を示す複数のサブデータに分割し、前記複数のサブデータを複数のフィールドに生成するためにインタレースするように構成されたことを特徴とする映像処理装置。
【請求項７】
前記アナログ映像表示規格は、ＮＴＳＣ、ＰＡＬ、ＳＥＣＡＭの規格よりなる群から選ばれたいずれか一つであることを特徴とする請求項６に記載の映像処理装置。
【請求項８】
前記デジタル映像プロセッサは、
前記各サブデータから一つの映像ラインを示す一片のデータを読み出すリーダと、
前記サブデータから読み出された一片のデータを用いて、前記複数のフィールド中の一つを生成するフィールド生成器と、を含むことを特徴とする請求項６に記載の映像処理装置。
【請求項９】
前記複数のフィールド中の一つを暗号化する暗号化部をさらに含むことを特徴とする請求項６に記載の映像処理装置。
【請求項１０】
カメラ装置において、
映像を撮影してデジタル映像表示規格の映像フレームを表示するためのデジタル映像データを生成する撮影部と、
前記カメラ装置に統合された請求項６に記載のデジタル映像処理装置と、を含み、
前記撮影部は、前記映像処理装置のデジタル映像入力ポートに、前記デジタル映像データを供給するように構成されたことを特徴とするカメラ装置。
【請求項１１】
そのそれぞれがアナログ映像表示規格の映像フレームを表示するような複数のインタレースされたフィールドを提供するステップと、
デジタル映像表示規格の映像フレームを表示するようなデジタル映像データを生成するために、前記複数のインタレースされたフィールドを処理するステップと、を含み、
前記処理ステップは、前記複数のインタレースされたフィールドをデインタレースするステップを含むことを特徴とするデジタル映像データの処理方法。
【請求項１２】
前記アナログ映像表示規格は、ＮＴＳＣ、ＰＡＬ、ＳＥＣＡＭの規格よりなる群から選ばれたいずれか一つであることを特徴とする請求項１１に記載のデジタル映像データの処理方法。
【請求項１３】
前記インタレースされたフィールドのそれぞれは、複数の映像ラインを含み、
前記デインタレースステップは、前記複数のフィールド中の一つを選択するステップと、
前記デジタル映像表示規格の映像フレームを構成する各一部分を生成するために、前記選ばれたフィールドの少なくとも一つの映像ラインを分配することを特徴とする請求項１１に記載のデジタル映像データの処理方法。
【請求項１４】
前記デジタル映像表示規格で表示すべき映像フレームを生成するために、前記各一部分を形成するステップをさらに含むことを特徴とする請求項１３に記載のデジタル映像データの処理方法。
【請求項１５】
前記複数のインタレースされたフィールドのそれぞれは、暗号化されたフィールドを含み、
前記方法は、前記暗号化されたフィールドを暗号解除するステップをさらに含むことを特徴とする請求項１１に記載のデジタル映像データの処理方法。
【請求項１６】
そのそれぞれがアナログ映像表示規格のフレームを表示するような複数のインタレースされたフィールドを受信するための映像データ入力ポートと、
デジタル映像表示規格の映像フレームを表示するためのデジタル映像データを生成するように、前記インタレースされたフィールドを処理する映像プロセッサと、を含み、
前記映像プロセッサは、前記複数のインタレースされたフィールドをデインタレースするように構成されたことを特徴とする映像処理装置。
【請求項１７】
前記インタレースされたフィールドのそれぞれは、前記映像フレームを構成する複数の一部分のそれぞれの少なくとも一部を表示するようになることを特徴とする請求項１６に記載の映像処理装置。
【請求項１８】
前記映像フレームを構成する複数の一部分は、同一の形状および大きさを有することを特徴とする請求項１７に記載の映像処理装置。
【請求項１９】
前記映像プロセッサは、
前記複数のフィールド中から一つを選び、
前記デジタル映像表示規格の映像フレームを構成する各一部分を生成するために、前記選ばれたフィールドの少なくとも一つの映像ラインを分配するように構成されたことを特徴とする請求項１６に記載の映像処理装置。
【請求項２０】
前記映像プロセッサは、
前記各一部分を用いて、前記デジタル映像表示規格で表示すべき前記映像フレームを生成するように構成されたことを特徴とする請求項１９に記載の映像処理装置。
【請求項２１】
前記複数のインタレースされたフィールドのそれぞれは、暗号化されたフィールドを含み、
前記装置は、前記暗号化されたフィールドを暗号解除する復号化部をさらに含むことを特徴とする請求項１６に記載の映像処理装置。
【請求項２２】
前記アナログ映像表示規格は、ＮＴＳＣ、ＰＡＬ、ＳＥＣＡＭの規格よりなる群から選ばれたいずれか一つであることを特徴とする請求項１６に記載の映像処理装置。
【発明の詳細な説明】
【技術分野】
【０００１】
本発明は、保安監視システムに適用される映像処理技術に関し、より詳しくは、保安監視システムの運用中に獲得された高解像度のデジタル映像をアナログ伝送ネットワークを介して伝送可能にし、またその伝送過程で、一部のデータが損なわれても、保安分析に影響を与えない水準のデジタル映像に再現可能にするアナログ伝送ネットワークのためのデジタル映像処理方法およびそのためのカメラ装置、映像処理装置、映像処理システムに関する。
【背景技術】
【０００２】
テレビ放送規格がアナログ方式のＮＴＳＣ、ＰＡＬ、ＳＥＣＡＭからデジタル方式のＨＤＴＶに進歩するにつれて、アナログ方式のテレビ放送規格に従っていた保安監視システムの装備も、デジタル方式のテレビ放送規格と互換性を維持する技術の開発が必要である。
【０００３】
全ての過渡期的な時期において、旧規格製品から新規格製品に直ちに進まない理由は、多くの問題点を伴うからである。
【０００４】
保安監視システムのための装備には、保安監視システムのみのための特化した装備が多く存在し、高価の製品が多いため、新規格装備に代置するのに極めて時間がかかる。
【０００５】
例えば、ＤＶＲ（Ｄｉｇｉｔａｌ Ｖｉｄｅｏ Ｒｅｃｏｒｄｅｒ）と呼ばれるデータ保存装置について説明する。
【０００６】
保安監視システムでは、特定の場所の監視のために、ＣＣＴＶカメラから映像を入力され、ＶＴＲに録画する方法を用いた。
【０００７】
しかし、このようなシステムは、多くの管理者を必要とするという短所があった。ビデオテープの録画時間が限定されているので、ＶＴＲに、周期的にビデオテープを交替しなければならないという問題が発生したとき、問題が発生した時点の映像を確認するために、保管していた膨大な量のビデオテープのいずれか一つを選択し、これをＶＴＲを用いて順次検索しなければならないという不便さがあった。
【０００８】
しかし、ＤＶＲの出現により、少ない人力で極めて安定的に録画したデータを維持管理することができるようになった。また、保安監視システムは、単にＶＴＲをＤＶＲに交替するだけで、付加的な装備を必要としない。
【０００９】
このように互換性を維持するとともに、新規格に合う装備が出れば、事業的に何ら問題なく、この装備の需要が増える。
【００１０】
デジタル方式のテレビ放送規格が示される前までは、全ての保安監視システムのための全ての装備は、上述したアナログ方式のテレビ放送規格に従っていた。しかし、いま、デジタル方式のテレビ放送規格に合わせて、全てのシステムが開発され、放送にまで実現した時点で、果してアナログ方式のテレビ放送規格に従う保安監視システムが、使用者にいつまで選択されるかは未知数である。
【００１１】
この時点で、アナログ方式のテレビ放送規格がデジタル方式のテレビ放送規格に発展するにつれて、保安監視システムにおいて用いられる装備も、デジタル方式のテレビ規格に従い、または、デジタル方式のテレビ放送規格の最高規格であるＨＤＴＶと同水準の画質を示す技術が開発されなければならない。
【００１２】
保安監視システムは、現場を撮影するカメラ装置と、カメラ装置により撮影された映像を、伝送ネットワークを介して受信して保存するデータ保存装置に大別される。ここで、伝送ネットワークは、伝送回線または伝送装置を含んでなる。
【００１３】
したがって、カメラ装置がＨＤＴＶと同水準の高解像度映像を撮影する技術を適用して、高解像度の映像を生成する場合、データ保存装置が当該カメラ装置により撮影された高解像度映像を受信できるようにするためには、カメラ装置と保存システムを連結する伝送回線または伝送装置が、カメラ装置と保存システムとの間で交換する映像データを処理可能でなければならない。
【００１４】
伝送回線または伝送装置が、カメラ装置と保存システムとの間で交換する映像データを処理するためには、ＨＤＴＶと同水準の高解像度映像データを処理可能な伝送回線または伝送装置を別途に敷設しなければならないという問題点が発生する。
【００１５】
しかし、伝送回線または伝送装置は、映像伝送システムのインフラに該当するものであり、既にアナログ映像データの伝送のために広く敷設されている伝送回線または伝送装置以外に、別途の伝送回線または伝送装置を敷設し難いという問題点があった。
【００１６】
したがって、アナログ方式であるＮＴＳＣ、ＰＡＬ、ＳＥＣＡＭの規格によるアナログ映像データの伝送のために敷設されている伝送回線や伝送装置をそのまま用いる状態で、カメラ装置で生成したＨＤＴＶと同水準の高解像度映像データを保存システムで受信して保存し、または、カメラ装置で生成した高解像度の映像データを再生することができる技術に対する必要性が増大してきている。
【００１７】
さらに、このようなアナログ映像表示規格に従うシステムが有している問題点は、ＮＴＳＣの場合、７２０×４８０の最大３０万ピクセル水準の低い画質を有する映像しか処理できないという点と、インタレース方式のアナログ映像信号をデジタル化し、ＤＶＲのようなデジタルシステムに用いる場合、アナログ映像表示規格が有している時間的な差を置いてライン単位で伝送する方法により生じる映像の揺れである。
【００１８】
高解像度の映像をアナログネットワークを介して伝送する先行特許技術としては、出願人「（株）ＵＤＰ」により出願され、特許登録された特許文献１がある。
【００１９】
特許文献１には、高解像度の映像をＮ個のサブフレームに分割し、それぞれのサブフレームを時間的な差を置いて伝送する方法が開示されている。
【００２０】
しかし、特許文献１によると、それぞれのサブフレーム間の時間的な差を置いて伝送するので、外部ノイズによるレベル変化により、画面の真中に目障りな垂直線が表れる現象が生じ得、より深刻な外部ノイズに影響された場合は、ノイズに影響を受けたサブフレームが完全に消えてしまうので、高解像度の原本の映像の一部が完全に損失してしまうという恐れがあった。
【００２１】
しかし、このような恐れは、保安監視システムにおいて致命的な短所となる。なぜなら、保安監視システムでは、保安の必要な現場で撮影された高解像度のデジタル映像を保安分析のために、アナログ伝送ネットワークを介して伝送可能でなければならないのみならず、何時でも伝送された映像に対して、映像分析を通じて、不意の侵害者または犯人を検挙するための映像分析動作を行うことができなければならないからである。
【００２２】
ところが、伝送された映像の真中に目障りな垂直線が表れ、または、ノイズに影響を受けた一部のサブフレームが映像から完全に損失すれば、不意の侵害者または犯人を検挙するのに大きな蹉跌を来たし得るからである。
【特許文献１】韓国登録特許第１０−５００１５２号（高解像度映像信号伝送方法およびこの方法を行う高解像度カメラシステム）
【発明の開示】
【発明が解決しようとする課題】
【００２３】
本発明は、上記問題点に鑑みなされたものであり、保安監視システムの運用中に獲得された高解像度のデジタル映像をアナログ伝送ネットワークを介して伝送可能にし、またその伝送過程で、一部のデータが損なわれても、保安分析に影響を与えない水準のデジタル映像に再現可能にすることを目的とする。
【課題を解決するための手段】
【００２４】
上記の目的を達成するため、本発明の一つの態様によるデジタル映像データの処理方法は、デジタル映像表示規格の映像フレームを表示するためのデジタル映像データを提供するステップと、アナログ映像表示規格の複数の映像フレームを表示するような複数のフィールドを生成するために、前記デジタル映像データを処理するステップと、を含み、前記処理ステップは、前記デジタル映像データを、そのそれぞれが前記デジタル映像表示規格の映像フレームを構成する一部分を示す複数のサブデータに分割するステップと、前記複数のサブデータを複数のフィールドに生成するためにインタレースするステップと、を含む。
【００２５】
前記映像フレームを構成する各一部分は、同一の形状および大きさを有する。前記それぞれのサブデータは、複数の映像ラインを含み、前記インタレースステップは、前記複数のサブデータのそれぞれから少なくとも一つの映像ラインを集めるステップと、前記複数のフィールド中の一つを生成するために、前記集められた映像ラインを編成するステップと、他のフィールドを生成するために、前記集まりおよび編成を繰り返すステップと、を含む。前記方法は、前記複数のフィールド中の一つを暗号化するステップをさらに含んでもよい。前記アナログ映像表示規格は、ＮＴＳＣ、ＰＡＬ、ＳＥＣＡＭの規格よりなる群から選ばれたいずれか一つであってもよい。
【００２６】
本発明の他の態様によると、デジタル映像表示規格の映像フレームを表示するようなデジタル映像データを受信するためのデジタル映像入力ポートと、アナログ映像表示規格の複数の映像フレームを表示するような複数のフィールドを生成するために、前記デジタル映像データを処理するデジタル映像プロセッサと、を含み、前記デジタル映像プロセッサは、前記デジタル映像データを、そのそれぞれが前記デジタル映像表示規格の映像フレームを構成する一部分を示す複数のサブデータに分割し、前記複数のサブデータを複数のフィールドに生成するために、インタレースするように構成されたことを特徴とする映像処理装置が提供される。
【００２７】
前記アナログ映像表示規格は、ＮＴＳＣ、ＰＡＬ、ＳＥＣＡＭの規格よりなる群から選ばれたいずれか一つであってもよい。前記デジタル映像プロセッサは、前記各サブデータから一つの映像ラインを示す一片のデータを読み出すリーダと、前記サブデータから読み出された一片のデータを用いて、前記複数のフィールド中の一つを生成するフィールド生成器と、を含んでもよい。前記装置は、前記複数のフィールド中の一つを暗号化する暗号化部をさらに含んでもよい。
【００２８】
本発明のまた他の態様によると、カメラ装置において、映像を撮影してデジタル映像表示規格の映像フレームを表示するためのデジタル映像データを生成する撮影部と、前記カメラ装置に統合されたデジタル映像処理装置と、を含み、前記撮影部は、前記映像処理装置のデジタル映像入力ポートに、前記デジタル映像データを供給するように構成されたことを特徴とするカメラ装置が提供される。
【００２９】
前記映像処理装置は、デジタル映像表示規格の映像フレームを表示するようなデジタル映像データを受信するためのデジタル映像入力ポートと、アナログ映像表示規格の複数の映像フレームを表示するような複数のフィールドを生成するために、前記デジタル映像データを処理するデジタル映像プロセッサと、を含み、前記デジタル映像プロセッサは、前記デジタル映像データを、そのそれぞれが前記デジタル映像表示規格の映像フレームを構成する一部分を示す複数のサブデータに分割し、前記複数のサブデータを複数のフィールドに生成するためにインタレースするように構成される。
【００３０】
本発明のまた他の態様によると、そのそれぞれがアナログ映像表示規格の映像フレームを表示するような複数のインタレースされたフィールドを提供するステップと、デジタル映像表示規格の映像フレームを表示するようなデジタル映像データを生成するために、前記複数のインタレースされたフィールドを処理するステップと、を含み、前記処理ステップは、前記複数のインタレースされたフィールドをデインタレースするステップを含むことを特徴とするデジタル映像データの処理方法が提供される。
【００３１】
前記アナログ映像表示規格は、ＮＴＳＣ、ＰＡＬ、ＳＥＣＡＭの規格よりなる群から選ばれたいずれか一つであってもよい。前記インタレースされたフィールドのそれぞれは、複数の映像ラインを含んでもよく、前記インタレースステップは、前記複数のフィールド中の一つを選択するステップと、前記デジタル映像表示規格の映像フレームを構成する各一部分を生成するために、前記選ばれたフィールドの少なくとも一つの映像ラインを分配する。前記方法は、前記デジタル映像表示規格で表示すべき映像フレームを生成するために、前記各一部分を形成するステップをさらに含んでもよい。
【００３２】
前記複数のインタレースされたフィールドのそれぞれは、暗号化されたフィールドを含み、前記方法は、前記暗号化されたフィールドを暗号解除するステップをさらに含む。
【００３３】
本発明のまた他の態様によると、そのそれぞれがアナログ映像表示規格のフレームを表示するような複数のインタレースされたフィールドを受信するための映像データ入力ポートと、デジタル映像表示規格の映像フレームを表示するためのデジタル映像データを生成するように、前記インタレースされたフィールドを処理する映像プロセッサと、を含み、前記映像プロセッサは、前記複数のインタレースされたフィールドをデインタレースするように構成されたことを特徴とする映像処理装置が提供される。
【００３４】
前記インタレースされたフィールドのそれぞれは、前記映像フレームを構成する複数の一部分のそれぞれの少なくとも一部を表示するようになってもよい。前記映像フレームを構成する複数の一部分は、同一の形状および大きさを有してもよい。前記映像プロセッサは、前記複数のフィールド中から一つを選び、前記デジタル映像表示規格の映像フレームを構成する各一部分を生成するために、前記選ばれたフィールドの少なくとも一つの映像ラインを分配するように構成されてもよい。前記映像プロセッサは、前記各一部分を用いて、前記デジタル映像表示規格で表示すべき前記映像フレームを生成するように構成される。前記複数のインタレースされたフィールドのそれぞれは、暗号化されたフィールドを含んでもよく、前記装置は、前記暗号化されたフィールドを暗号解除する復号化部をさらに含む。前記アナログ映像表示規格は、ＮＴＳＣ、ＰＡＬ、ＳＥＣＡＭの規格よりなる群から選ばれたいずれか一つであってもよい。
【００３５】
本発明の他の態様によると、保安監視システムにおいて用いられるカメラ装置であって、被写体を撮影して第１の解像度を有するデジタル映像データを生成する撮影部と、前記撮影部で生成した第１の解像度を有するデジタル映像データをフレーム別に区分して保存するメモリと、第１の解像度を有するデジタル映像データの１フレームをＮ個の領域に区分し、前記Ｎ個の領域に順番を付与し、前記Ｎ個の領域を当該領域の順番によりインタレースし、前記デジタル映像データの１フレームをアナログ伝送ネットワーク伝送規格の解像度を有するＮ個のフィールドに変換し、前記メモリとデータ入出力を行うフィールド変換処理部と、前記フィールド変換処理部で生成した各フィールドを、前記アナログ伝送ネットワークを介して伝送するためのアナログ映像データでエンコードし、前記アナログ伝送ネットワークに出力するエンコーダーと、を含むアナログ伝送ネットワークのためのデジタル映像処理機能を有するカメラ装置が提供される。
【００３６】
前記第１の解像度を有するデジタル映像データは、メガピクセル級解像度を有するデジタル映像データであってもよい。
【００３７】
前記フィールド変換処理部は、前記第１の解像度を有するデジタル映像データの１フレームをＮ個の領域に区分し、各領域に順番を付与し、当該領域の順番に従ってインタレースし、各領域の任意番目のラインを順次読み出し終わった後、そのラインからＮラインずつ超えて、各領域の当該ラインを順次読み出し、これら読み出したラインからアナログ伝送ネットワーク伝送規格の解像度を有するフィールドを順次生成し、Ｎ個のフィールドに変換処理してもよい。
【００３８】
前記カメラ装置は、前記フィールド変換処理部で生成した各フィールドのデータを暗号化し、前記エンコーダーに出力する暗号化部をさらに含んでもよい。
【００３９】
前記Ｎ個の領域は、当該フレームの横を複数に等分し、等分した領域に対して縦に複数等分した領域であり、各領域の順番は、各フレームの左上端コーナから右下端コーナに増加して順次付与されてもよい。
【００４０】
本発明の他の態様によると、保安監視システムに用いられる映像処理装置であって、アナログ伝送ネットワークを介して入力されたＮ個のフィールドを、第１の解像度を有する１フレームのデジタル映像データに逆変換する信号処理部と、前記信号処理部で生成した第１の解像度を有するデジタル映像データを、各フレーム別に映像表示装置に出力する映像出力処理部と、を含み、前記各フィールドは、アナログ伝送ネットワーク伝送規格の解像度を有するアナログ映像データからなり、前記アナログ映像データは、前記第１の解像度を有するデジタル映像データの１フレームがＮ個の領域に区分され、前記Ｎ個の領域に順番が付与され、前記Ｎ個の領域が当該領域の順番によりインタレースされ、Ｎ個のフィールドに変換されることで生成したアナログ伝送ネットワークのためのデジタル映像処理機能を有する映像処理装置が提供される。
【００４１】
前記第１の解像度を有するデジタル映像データは、メガピクセル級解像度を有するデジタル映像データであってもよい。
【００４２】
前記信号処理部において、前記Ｎ個の領域は、当該フレームの横を複数に等分し、等分した領域に対して縦に複数等分した領域であり、前記フレームの上方から下方に降りながら当該フレームの左側に位置するほど、当該領域よりも右側に位置した領域よりも先の順番が順次付与されてもよい。
【００４３】
前記信号処理部は、前記アナログ伝送ネットワークを介して入力された各フィールドのアナログ映像データをデジタル映像データでデコードして出力するデコーダーと、前記デコーダーから出力された前記デジタル映像データを入力されて保存するメモリと、前記デコーダーでデコードされたフィールドの各ラインを順次読み出し、同一の大きさのＮ個の領域に区分され、順番が付与された各領域に、前記順番通りにデインタレースし、各領域の任意番目のラインを順次満たし終わった後、そのラインからＮラインずつ超えて、各領域の当該ラインを順次満たし、次に入力されたフィールドを順次読み出し、前記各領域のその次のラインを満たし、前記アナログ伝送ネットワークを介して入力されたＮ個のフィールドを、第１の解像度を有する１フレームのデジタル映像データに逆変換するために、前記メモリに対するデータ入出力を行うフィールド逆変換処理部と、を含んでもよい。
【００４４】
前記信号処理部は、前記デコーダーでデコードされたフィールドの暗号化処理された信号を暗号解除し、前記フィールド逆変換処理部に出力する復号化部をさらに含んでもよい。
【００４５】
前記映像出力処理部は、前記信号処理部の信号処理で生成した前記第１の解像度を有するデジタル映像データを、前記映像表示装置に出力するために周波数変換を行ってもよい。
【００４６】
本発明のまた他の態様によると、保安監視システムに用いられるカメラ装置のデジタル映像処理方法であって、第１の解像度を有するデジタル映像データの１フレームをＮ個の領域に区分するステップと、前記Ｎ個の領域に順番を付与するステップと、前記Ｎ個の領域を当該領域の順番によりインタレースし、前記デジタル映像データの１フレームを、アナログ伝送ネットワーク伝送規格の解像度を有するＮ個のフィールドに変換するステップと、前記各フィールドをアナログ映像データでエンコーダーし、前記アナログ伝送ネットワークに出力するステップと、を含むアナログ伝送ネットワークのためのカメラ装置のデジタル映像処理方法が提供される。
【００４７】
前記Ｎ個の領域は、当該フレームの横を複数に等分し、等分した領域に対して縦に複数等分した領域であり、各領域の順番は、各フレームの左上端コーナから右下端コーナに増加して順次付与されてもよい。
【００４８】
前記フィールド変換ステップは、前記Ｎ個の領域を当該領域の順番に従ってインタレースし、各領域の任意番目のラインを順次読み出し終わった後、そのラインからＮラインずつ超えて、各領域の当該ラインを順次読み出し、読み出したラインからアナログ伝送ネットワーク伝送規格の解像度を有するフィールドを順次生成し、Ｎ個のフィールドに変換してもよい。
【００４９】
前記フィールド変換ステップは、１フレームから前記Ｎ個のフィールドが全て生成する前に、任意のフィールドが生成すると、当該フィールドを前記エンコード処理のために出力してもよい。
【００５０】
前記フィールド変換ステップは、１フレームから前記Ｎ個のフィールドが全て生成した後、各フィールドを順次前記エンコード処理のために出力してもよい。
【００５１】
前記カメラ装置のデジタル映像処理方法は、前記フィールド変換ステップにおいて生成した各フィールドのデータを暗号化し、前記エンコード処理のために出力する暗号化ステップをさらに含んでもよい。
【００５２】
本発明のまた他の態様によると、保安監視システムに用いられる映像処理装置のデジタル映像処理方法であって、アナログ伝送ネットワークを介して入力されたＮ個のフィールドを、第１の解像度を有する１フレームのデジタル映像データに逆変換するステップと、前記逆変換処理ステップに生成した第１の解像度を有するデジタル映像データを、各フレーム別に映像表示装置に出力するステップと、を含み、前記各フィールドは、アナログ伝送ネットワーク伝送規格の解像度を有するアナログ映像データからなり、前記アナログ映像データは、前記第１の解像度を有するデジタル映像データの１フレームがＮ個の領域に区分され、前記Ｎ個の領域に順番が付与され、前記Ｎ個の領域が当該領域の順番によりインタレースされ、Ｎ個のフィールドに変換されることで生成したアナログ伝送ネットワークのための映像処理装置のデジタル映像処理方法が提供される。
【００５３】
前記Ｎ個の領域は、当該フレームの横を複数に等分し、等分した領域に対して縦に複数等分した領域であり、各領域の順番は、各フレームの左上端コーナから右下端コーナに増加して順次付与されてもよい。
【００５４】
前記逆変換ステップは、前記各ラインを順次読み出し、同一の大きさのＮ個の領域に区分され、順番が付与された各領域に、前記順番通りにデインタレースし、各領域の任意番目のラインを順次満たし終わった後、そのラインからＮラインずつ超えて、各領域の当該ラインを順次満たし、次に入力されたフィールドを順次読み出し、前記各領域のその次のラインを満たし、前記アナログ伝送ネットワークを介して入力されたＮ個のフィールドを第１の解像度を有する１フレームのデジタル映像データに逆変換してもよい。
【００５５】
前記逆変換ステップは、前記Ｎ個のフィールドが前記アナログ伝送ネットワークから全て入力される前に、任意のフィールドが入力されると、当該フィールドの各ラインを、前記各領域にデインタレースする信号処理を行ってもよい。
【００５６】
前記逆変換ステップは、前記Ｎ個のフィールドが前記アナログ伝送ネットワークから全て入力された後に、各フィールドに対して、順次各フィールドのラインを前記各領域にデインタレースする信号処理を行ってもよい。
【００５７】
前記映像処理装置のデジタル映像処理方法は、前記アナログ伝送ネットワークを介して入力された各フィールドのアナログ映像データを、デジタル映像データでデコードして出力するステップをさらに含んでもよい。より好ましくは、前記映像処理装置のデジタル映像処理方法は、前記デコード処理ステップによりデコードされたフィールドの暗号化処理されたデータを暗号解除し、前記逆変換処理のために出力するステップをさらに含んでもよい。
【００５８】
本発明のまた他の態様によると、保安監視システムに用いられる映像処理システムであって、被写体を撮影して生成した第１の解像度を有するデジタル映像データの各フレームを、同一の大きさのＮ個の領域に区分し、各領域に順番を付与し、当該領域の順番によりインタレースし、各領域の任意番目のラインを順次満たし終わった後、そのラインからＮラインずつ超えて、各領域の当該ラインを順次読み出し、そのラインにアナログ伝送ネットワーク伝送規格の解像度を有するフィールドを順次生成し、Ｎ個のフィールドに変換処理し、アナログ伝送ネットワークを介して伝送するカメラ装置と、前記カメラ装置から伝送された前記Ｎ個のフィールドに対して入力されたフィールドの各ラインを順次読み出し、同一の大きさのＮ個の領域に区分され、順番が付与された各領域に前記順番通りにデインタレースし、各領域の任意番目のラインを順次満たした後、そのラインからＮラインずつ超えて、各領域の当該ラインを順次満たし、前記アナログ伝送ネットワークを介して入力されたＮ個のフィールドを、第１の解像度を有する１フレームのデジタル映像データに逆変換する信号処理を行い、映像表示装置に出力する映像処理装置と、を含む映像処理システムが提供される。
【００５９】
前記第１の解像度を有するデジタル映像データは、メガピクセル級解像度を有するデジタル映像データであってもよい。
【発明の効果】
【００６０】
本発明によると、アナログ方式のＮＴＳＣ、ＰＡＬ、ＳＥＣＡＭの規格によるアナログ映像データの伝送のために敷設されているアナログ伝送ネットワークをそのまま用いて、カメラ装置で生成したＨＤＴＶと同水準の高解像度映像データを保存システムから伝送されて保存し、または、カメラ装置により生成した高解像度の映像データを再生することができるようになる。
【００６１】
また、１４４０×９６０の高解像度フレームを一定の領域に分割せず、アナログ信号規格に合わせて、フィールドに載せて送る方式を用いた場合、分離されたフレームは発生する時間的な連続性を失わず、連続性を有するフレームとなることにより、画面の真中に目障りな垂直線が表れず、保安監視のために必要な映像分析の際に鮮明な映像を提供して有用な証拠として用いることができる。
【００６２】
また、一定期間の間、外部ノイズが生じても、高解像度フレームを一定の領域に分割せず、アナログ信号規格に合わせてフィールドに載せて送ることにより、８個のフィールドのうち、一つのフィールドが損なわれても、残りの７個のフィールドが高解像度フレームの全体領域のデータを全て含んでいるので、８個のライン当たり１ライン程度の損傷をもたらすだけであり、高解像度フレームに復元した場合、高解像度フレームの全体領域を人間の目で識別可能であり、伝送過程で酷いノイズにより、一部のデータが損なわれても、保安分析に影響を与えない水準のデジタル映像に再現することができる。
【発明を実施するための最良の形態】
【００６３】
以下、本発明の好ましい実施の形態を、添付図面に基づいて詳しく説明する。
【００６４】
図１は、本発明の一実施の形態に係るアナログ伝送ネットワークのためのデジタル映像処理を行う映像処理システムの構成ブロック図であり、図２は、本発明の一実施の形態に係る映像処理システムにおいて、インタレース化フィールド変換処理を通じて、メガピクセル級解像度のデジタル映像データを処理する原理を説明するための図である。
【００６５】
図１を参照して、映像処理システムは、カメラ装置１００と、アナログ伝送ネットワーク２００と、映像処理装置３００とで構成される。
【００６６】
カメラ装置１００とアナログ伝送ネットワーク２００は、アナログ伝送回線を介して連結されており、アナログ伝送ネットワーク２００と映像処理装置３００も、アナログ伝送回線を介して連結されている。
【００６７】
したがって、アナログ伝送回線を介して任意の映像データが伝送されるときは、アナログ方式であるＮＴＳＣ、ＰＡＬ、ＳＥＣＡＭの規格によるアナログ映像信号に変換されて伝送される。
【００６８】
また、アナログ伝送ネットワーク２００は、アナログ方式であるＮＴＳＣ、ＰＡＬ、ＳＥＣＡＭの規格によるアナログ映像信号を、カメラ装置１００から受信し、映像処理装置３００に伝送する。
【００６９】
カメラ装置１００は、被写体を撮影し、メガピクセルの解像度（１４４０×９６０）を有するデジタル映像データを生成し、その生成したメガピクセル級のデジタル映像データをアナログ伝送回線で連結されたアナログ伝送ネットワーク２００を介して映像処理装置３００に伝送するために、信号処理を通じて、ＮＴＳＣ、ＰＡＬ、ＳＥＣＡＭの規格によるアナログ映像信号（７２０×２４０）に変換し、映像処理装置３００に伝送する。
【００７０】
カメラ装置１００により映像処理装置３００に伝送される映像データ（７２０×２４０）は、映像処理装置３００での信号処理により、再びメガピクセルの解像度（１４４０×９６０）を有するデジタル映像データに再現され得るデータである。
【００７１】
カメラ装置１００で撮影されて生成したメガピクセルの解像度（１４４０×９６０）を有するデジタル映像データは、ＮＴＳＣ、ＰＡＬ、ＳＥＣＡＭの規格によるアナログ映像信号を伝送するアナログ伝送ネットワーク２００の伝送規格に従わないので、生成したままではアナログ伝送ネットワーク２００を介して伝送され得ない。
【００７２】
したがって、ピクセルカメラ装置１００は、メガピクセルの解像度を有するデジタル映像に対して、アナログ伝送ネットワーク２００の伝送規格に合う解像度を有する映像への信号処理を行う。
【００７３】
このため、カメラ装置１００は、図２に示すように、メガピクセルの解像度（１４４０×９６０）を有するデジタル映像の１フレームに対してインタレースを行い、アナログ伝送ネットワーク２００の伝送規格に従う解像度を有する８個のフィールド（７２０×２４０）を生成し、その生成した８個のフィールドをアナログ伝送ネットワーク２００の伝送方式により、アナログ伝送ネットワーク２００を介して映像処理装置３００に伝送する。
【００７４】
映像処理装置３００は、アナログ伝送ネットワーク２００を介してカメラ装置１００から伝送されたＮＴＳＣ、ＰＡＬ、ＳＥＣＡＭの規格による８個のフィールドを受信し、インタレース化フィールド逆変換信号処理を行い、カメラ装置１００で生成したメガピクセル級の解像度（１４４０×９６０）を有するデジタル映像データに復元し、映像表示装置４００に出力しまたはメモリに保存する。
【００７５】
図３は、本発明に係るカメラ装置と映像処理装置を連結するアナログ伝送装置で処理すべきアナログ方式のテレビ放送規格に従う信号の例を示す図である。
【００７６】
図３を参照して、カメラ装置１００と映像処理装置３００を連結するアナログ伝送ネットワーク２００は、アナログ方式のテレビ放送規格に従う信号のみを処理することができる。
【００７７】
アナログ方式のテレビ放送規格の最大の解像度は、ＮＴＳＣの場合、７２０×４８０であり、ＰＡＬの場合、７２０×５７６である。
【００７８】
アナログ伝送プロトコルでは、ＮＴＳＣの場合、７２０×４８０の解像度を有する映像が、７２０×２４０の解像度を有する偶数（ｅｖｅｎ）フィールド映像と奇数（ｏｄｄ）フィールド映像に分離処理され、各フィールド単位でアナログ伝送ネットワーク２００を介して伝送される。
【００７９】
すなわち、本発明に係るカメラ装置１００ではない任意のカメラ装置において、プログレッシブスキャンにより７２０×４８０の解像度を有する映像フレームが生成するとすれば、図３に示すように、７２０×２４０の解像度を有する偶数フィールド映像と奇数フィールド映像に分離され、各フィールド単位で処理され、アナログ伝送ネットワーク２００に出力される。
【００８０】
一方、本発明の一実施の形態に係るカメラ装置１００は、撮影動作により１４４０×９６０（１．４メガピクセル）の解像度を有する映像を生成する。したがって、１４４０×９６０の解像度を有する映像をアナログ伝送ネットワークを介して伝送するためには、７２０×２４０の解像度を有するフィールド映像に変換処理する過程が必要である。
【００８１】
このため、カメラ装置１００は、図３に示すように、偶数フィールド映像と奇数フィールド映像を生成するインタレースを行うのではなく、図４に示すように、１４４０×９６０の解像度を有する一つの画面に対して、８個のフィールドを生成するためのインタレースを行う。
【００８２】
図４は、本発明の一実施の形態に係る映像処理システムにおいて、インタレース化フィールド変換処理を行う原理を説明するための画面例示図である。
【００８３】
カメラ装置１００がインタレースを行い、１４４０×９６０の解像度を有する一つの画面に対して８個のフィールドを生成する信号処理をインタレース化フィールド変換処理ということとする。
【００８４】
カメラ装置１００は、被写体を撮影して生成した１４４０×９６０の解像度を有するデジタル映像データの各フレームを、同一の大きさの８個の領域に区分し、各領域に順番を付与し、当該領域の順番によりインタレースし、各領域の任意番目のラインを順次読み出し終わった後、そのラインから８ラインずつ超えて、各領域の当該ラインを順次読み出し、読み出したラインによりアナログ伝送ネットワーク伝送規格の解像度を有するフィールドを順次生成し、８個のフィールドに変換処理し、アナログ伝送ネットワークを介して伝送する。
【００８５】
この際、各フレームを区分する同一の大きさの８個の領域は、当該フレームの横を二等分し、等分した領域に対して縦に４等分してなる。
【００８６】
また、その領域に対して、フレームの上方から下方に降りながら、当該フレームの左側に位置するほど、当該領域よりも右側に位置した領域よりも先の順番が順次付与され得るようにする。
【００８７】
これにより、カメラ装置１００において、インタレース化したフィールド変換処理が行われた結果として生成される８個の各フィールドは、７２０×２４０の解像度を有する。この際、各フィールドは、第１のラインから第２４０のラインまでとし、２４０個のラインを有するようになるが、各フィールドの奇数番目のラインと偶数番目のラインは一対をなし、１４４０×９６０の解像度を有する画面では、一つのラインをなすようになる。
【００８８】
上述したように、１４４０×９６０の解像度を有する１フレームは、８個の領域に区分されるが、第１の領域と第２の領域と第３の領域と連続して最終的に第８の領域の第１のラインを読み出し、第１のフィールドのラインを満たして行く。次に、第１の領域と第２の領域と第３の領域と連続して最終的に第８の領域の第９（１＋８）のラインを読み出し、第１のフィールドのラインを満たして行く。次に、第１の領域と第２の領域と第３の領域と連続して最終的に第８の領域の第１７（９＋８）のラインを読み出し、第１のフィールドのラインを満たして行く。このようにして、第１の領域と第２の領域と第３の領域と連続して最終的に第８の領域の各ラインを８ずつ超えて、当該ラインを読み出し、第１のフィールドのラインを満たして行く。
【００８９】
これにより、第１のフィールドの第１のラインと第２のラインは、１４４０×９６０の解像度を有する１フレームの画面からみると、第１の領域と第２の領域の１番目のラインを構成するようになる。
【００９０】
また、第８のフィールド（Ｆｉｅｌｄ８）の第２３９のラインと第２４０のラインは、１４４０×９６０の解像度を有する１フレームの画面からみると、第７の領域と第８の領域の最後のラインを構成するようになる。
【００９１】
一方、映像処理装置３００は、アナログ伝送ネットワーク２００を介してカメラ装置１００から受信した７２０×２４０の解像度を有する８個のフィールド映像から、図２に示した過程の逆過程を行い、図４に示した１４４０×９６０の解像度を有する一つの映像フレームを生成する。
【００９２】
すなわち、映像処理装置３００は、アナログ伝送ネットワーク伝送規格の解像度を有するフィールドが、アナログ伝送ネットワークを介して入力されると、当該フィールドの各ラインを順次読み出し、同一の大きさの８個の領域に区分され、順番が付与された各領域に順番通りにデインタレースし、各領域の任意番目のラインを順次満たし終わった後、そのラインから８ラインずつ超えて、各領域の当該ラインを順次満たし、アナログ伝送ネットワークを介して入力された８個のフィールドを、第１の解像度を有する１フレームのデジタル映像データに逆変換する信号処理を行う。
【００９３】
このような過程を通じて、映像処理装置３００は、最大７２０×４８０の解像度を有する映像を処理するＮＴＳＣのアナログ伝送プロトコルを用いるアナログ伝送ネットワーク２００を介して、１４４０×９６０の解像度を有するメガピクセル級映像を再現することができる。
【００９４】
カメラ装置１００において、１４４０×９６０の解像度を有するメガピクセル級映像を７２０×２４０の解像度を有する８個のフィールドにインタレースし、最大７２０×４８０の解像度を有する映像フレームを１秒当たり３０フレームずつ伝送するＮＴＳＣアナログ伝送ネットワークを用いる場合、本発明に係るカメラ装置１００は、１秒当たり７．５（３０／４）フレームのメガピクセル級映像フレームを伝送可能になる。すなわち、７．５ｆｐｓ（ｆｒａｍｅ ｐｅｒ ｓｅｃｏｎｄ）のフレーム伝送速度を有するようになる。
【００９５】
一方、最大７２０×５７６の解像度の映像フレームを１秒当たり２５フレームずつ伝送するＰＡＬアナログ伝送ネットワークを用いる場合、６．２５（２５／４）フレームのメガピクセル級映像フレームを伝送可能になる。すなわち、６．２５ｆｐｓのフレーム伝送速度を有するようになる。
【００９６】
この程度のフレーム伝送速度であれば、保安監視システムにおいて映像分析を行うのに充分活用可能である。
【００９７】
図５は、図１における本発明の一実施の形態に係るアナログ伝送ネットワークのためのカメラ装置の構成ブロック図である。
【００９８】
図５を参照すると、本発明の一実施の形態に係るカメラ装置１００は、撮影部１１０と信号処理部１２０とで構成される。
【００９９】
撮影部１１０は、被写体を撮影し、メガピクセルの解像度を有する映像データを生成する。例えば、撮影部１１０は、１４４０×９６０の解像度を有するメガピクセル級映像を生成することができる。
【０１００】
このため、撮影部１１０は、固体撮影素子（ＣＣＤ）またはＣＭＯＳイメージセンサ（ＣＩＳ）のような半導体イメージセンサ、印刷回路基板（ＰＣＢ）、カメラ用レンズ、少なくとも一つ以上のフラッシュ等のようなデジタルカメラの部品を備えて、映像データを生成する。
【０１０１】
信号処理部１２０は、撮影部１１０を通じて生成したメガピクセル級の解像度を有するデジタル映像データの各フレームを同一の大きさの８個の領域に区分し、各領域に順番を付与し、当該領域の順番によりインタレースし、各領域の任意番目のラインを順次読み出し、次番目のラインを順次読み出し、読み出したラインによりアナログ伝送ネットワーク伝送規格の解像度を有するフィールドを順次生成して、Ｎ個のフィールドに変換処理し、アナログ伝送ネットワークを介して伝送する。
【０１０２】
このため、信号処理部１２０は、メモリ１２１と、インタレース化フィールド変換処理部１２２と、エンコーダー１２３と、暗号化部１２４とで構成される。
【０１０３】
メモリ１２１は、撮影部１１０で生成したメガピクセル級解像度を有するデジタル映像データを保存する。
【０１０４】
撮影部１１０から入力されるメガピクセル級解像度を有するデジタル映像データの１フレームは、インタレース化フィールド変換処理部１２２によりアナログ伝送回線またはアナログ伝送ネットワーク２００を介して伝送可能な解像度（７２０×２４０）を有する８個のフィールド映像にインタレース処理され、そして、８個のフィールド映像は、メモリ１２１にフィールド別に区分して保存される。
【０１０５】
さらに、メモリ１２１は、８個のフィールド映像に対して、各フィールド映像が何番目のフィールドであるかを識別するための識別情報を読み出し可能に保存する。この際、識別情報は、各フィールドの映像データに挿入して保存してもよく、各フィールド映像が保存されるメモリ１２１の記憶番地として識別されてもよい。
【０１０６】
メモリ１２１の記憶番地として識別される場合は、インタレース化フィールド変換処理部１２２において当該記憶番地から読み込まれた映像データに対して、別途の識別情報を挿入し、エンコーダー１２３に出力する過程が必要である。
【０１０７】
インタレース化フィールド変換処理部１２２は、撮影部１１０で生成したメガピクセル級解像度を有するデジタル映像データの各フレーム映像を、７２０×２４０の解像度を有する８個のフィールドにインタレース信号処理し、アナログ伝送ネットワークを介して伝送するために、メモリ１２１に対するデータ入出力を行う。
【０１０８】
このため、インタレース化フィールド変換処理部１２２は、撮影部１１０で撮影されたメガピクセル級解像度を有するデジタル映像データを、各フレーム別にインタレース化フィールド変換処理を行い、伝送解像度（７２０×２４０）を有する８個のフィールド映像に、メモリ１２１の当該領域に区分して記録する。
【０１０９】
また、インタレース化フィールド変換処理部１２２は、メモリ１２１に記録されたデジタル映像データを、アナログ伝送ネットワークを介して伝送するために、アナログ伝送ネットワークの伝送プロトコルに合わせて読み込んでエンコーダー１２３に出力する。
【０１１０】
ここで、インタレース化フィールド変換処理部１２２は、８個のフィールドが何番目のフィールドであるかを識別するための識別情報を読み出し可能に、識別情報を各フィールド映像に記録して保存する。
【０１１１】
一方、８個のフィールドが何番目のフィールドであるかを識別するための識別情報は、各フィールドに保存されず、各フィールドが保存されるメモリ１２１の記憶番地で識別されてもよい。
【０１１２】
この場合、インタレース化フィールド変換処理部１２２は、メモリ１２１の当該記憶番地から読み込まれた映像データに対して、別途の識別情報を挿入して、エンコーダー１２３に出力する処理を行う。
【０１１３】
識別情報をそれぞれの映像に挿入して保存し、または、エンコーダー１２３に出力する前に挿入する技術に対しては、映像処理装置３００の再生過程で行われる映像同期作業のために、何のデータも載せられていないブランク区間を用いて、ブランク区間に位置識別情報（ｐｏｓｉｔｉｏｎ ｔａｇ）の形態で挿入されてもよい。
【０１１４】
ブランク区間に挿入される位置識別情報は、電気的なパルス形態を有してもよい。したがって、映像処理装置３００は、受信した映像データのブランク区間において、任意の設定された電気パルスが認識されると、その認識された電気パルスから位置識別情報をわかることができる。
【０１１５】
また、信号処理の安定性のためには、任意の形態を有するパルスを一定の間隔を何番繰り返して設定することにより、その信頼性を高めることもできる。
【０１１６】
ブランク区間にフィールド識別情報が挿入されることにより、映像処理装置３００で再現される映像には、何ら影響を及ぼさないようになる。
【０１１７】
暗号化部１２４は、保安監視分野において、源泉的にアナログ映像信号と同様に伝送するうち、外部から伝送ラインを盗用することを防止するために、インタレース化フィールド変換処理部１２２の出力データを、ｎ−Ｂｉｔｓの暗号化キーを用いて暗号化を行う。
【０１１８】
暗号化部１２４は、選択的にその動作が設定されてもよい。したがって、暗号化を必要としない場合は、非活性化し、または、インタレース化フィールド変換処理部１２２の出力信号を別途の信号処理なしに、エンコーダー１２３に伝達するように設定されてもよい。
【０１１９】
エンコーダー１２３は、暗号化部１２４を通じて暗号化され、または、別途の暗号化信号処理なしに、インタレース化フィールド変換処理部１２２によりメモリ１２１から読み込まれて出力されるデジタル映像データを、アナログ伝送ネットワークを介して伝送するためのアナログ映像データでエンコードする。
【０１２０】
図６は、図５に示した本発明の一実施の形態に係るアナログ伝送ネットワークのためのカメラ装置の動作流れ図である。
【０１２１】
図６を参照して、撮影部１１０は、被写体を撮影して１４４０×９６０の解像度を有するデジタル映像データを生成する（Ｓ１）。撮影部１１０のＣＣＤセンサでは、撮影によりアナログ映像が生成するが、撮影部１１０に別途のＡ−Ｄ変換処理部があり、Ａ−Ｄ変換処理部によりデジタルデータに変換されて出力されることとする。
【０１２２】
若し、撮影部１１０にこのようなＡ−Ｄ変換処理部が別途に設けられていなければ、インタレース化フィールド変換処理部１２２に、別途のＡ−Ｄ変換処理部を設け、撮影部１１０で生成したアナログデータをデジタルデータに変換することとする。
【０１２３】
インタレース化フィールド変換処理部１２２は、撮影部１１０で生成されて入力される１４４０×９６０の解像度を有するデジタル映像データの１フレームを入力され、当該フレームを、インタレースを通じて７２０×２４０の解像度を有する８個のフィールドに変換処理し、メモリ１２１に保存するために、各フィールドの領域に、予め割り当てられた領域にフィールド別に１ラインずつ記録する動作を行う（Ｓ２）。
【０１２４】
この際、インタレース化フィールド変換処理部１２２は、デジタル映像データの１フレームを、１ラインずつ読み込み、フィールドの順番通りに記録する。そして、第１のフィールドのラインを全て記録した後、第２のフィールドのラインを記録する。このようにして第８のフィールドまで順に次のフィールドのラインを記録する。
【０１２５】
インタレース化フィールド変換処理部１２２は、メモリ１２１に１フレームの映像中で、第１のフィールドのラインを全て記録すると、継続して第２のフィールドを記録する動作を行いながら、記録が完了した第１のフィールドのデジタル映像を、アナログ伝送ネットワーク２００を介して伝送するために読み込んで出力する（Ｓ３）。
【０１２６】
インタレース化フィールド変換処理部１２２は、暗号化モードが設定されているか否かを判断し（Ｓ４）、暗号化モードが設定されている場合、暗号化部１２４を活性化させ、これにより、暗号化部１２４は、インタレース化フィールド変換処理部１２２で生成した８個のフィールドデータを、ｎ−Ｂｉｔｓの暗号化キーを用いて暗号化を行い、エンコーダー１２３に出力する（Ｓ５）。
【０１２７】
エンコーダー１２３は、暗号化部１２４を通じて暗号化され、または、別途の暗号化信号処理なしに、インタレース化フィールド変換処理部１２２によりメモリ１２１から読み出されて出力される各フィールドのデジタル映像データを、アナログ伝送ネットワークを介して伝送するためのアナログ映像データでエンコードし、アナログ伝送回線が連結されるネットワークインタフェース（図示せず）に出力する（Ｓ６）。
【０１２８】
図７は、図１における本発明の一実施の形態に係るアナログ伝送ネットワークのための映像処理装置の構成ブロック図である。
【０１２９】
図７を参照して、本発明の一実施の形態に係る映像処理装置３００は、信号処理部３１０と、映像出力処理部３２０とで構成される。
【０１３０】
信号処理部３１０は、アナログ伝送ネットワーク２００を介してカメラ装置１００から伝送されたＮＴＳＣ、ＰＡＬ、ＳＥＣＡＭの規格による７２０×２４０の解像度を有する８個のフィールドを受信し、インタレース化フィールド逆変換信号処理を行い、カメラ装置１００で生成した１４４０×９６０の解像度を有するデジタル映像データに復元して出力可能に信号処理を行う。
【０１３１】
このため、信号処理部３１０は、デコーダー３１１と、復号化部３１２と、メモリ３１３と、インタレース化フィールド逆変換処理部３１４とで構成される。
【０１３２】
デコーダー３１１は、アナログ伝送ネットワークを介して入力された７２０×２４０の解像度を有する８個のフィールドを受信し、各フィールドに含まれたアナログ映像信号をデジタル映像信号でデコードして出力する。
【０１３３】
復号化部３１２は、デコーダー３１１でデコードされた信号が暗号化された信号である場合、暗号を解除する。
【０１３４】
復号化部３１２は、その装備と動作が選択的であってもよい。復号化部３１２は、図示のように、デコーダー３１１とインタレース化フィールド逆変換処理部３１４が直接連結された状態で、デコーダー３１１とインタレース化フィールド逆変換処理部３１４との間に並列で連結され、マルチプレクサ（図示せず）を介してインタレース化フィールド逆変換処理部３１４に連結されてもよい。
【０１３５】
したがって、デコーダー３１１の出力信号が暗号化された信号ではない場合、復号化部３１２は、非活性化されてもよく、または、復号化部３１２の出力信号がインタレース化フィールド逆変換処理部３１４で選択されないように設定されてもよい。
【０１３６】
メモリ３１３は、復号化部３１２を通じて暗号解除された信号またはデコーダー３１１から出力された７２０×２４０の解像度を有する８個のフィールドを入力され、当該フィールドのデジタル映像信号を保存する。
【０１３７】
インタレース化フィールド逆変換処理部３１４は、デコーダー３１１でデコードされた７２０×２４０の解像度を有する８個のフィールドを、各フィールドの順番に合わせてインタレース化フィールド逆変換を行い、１４４０×９６０の解像度を有する１フレームの映像データを生成するために、メモリ３１３に対するデータ入出力を行う。
【０１３８】
ここで、インタレース化フィールド逆変換処理部３１４は、１４４０×９６０の解像度を有する１フレームの映像に復元するために、デコーダー３１１でデコードされた７２０×２４０の解像度を有する８個の各フィールドに含まれるデジタル映像データのラインを、フィールドの順番通りにメモリ３１３に記録する。
【０１３９】
すなわち、第１のフィールドの各ラインを読み出し、メモリ３１３の当該領域に記録し、第１のフィールドの記録が完了すると、第２のフィールドの各ラインを読み出し、メモリ３１３の当該領域に記録し、継続して次のフィールドの各ラインを記録する。そして、最終的に第８のフィールドの各ラインを読み出し、メモリ３１３の当該領域に記録すると、カメラ装置１００で生成したメガピクセル級の解像度（１４４０×９６０）を有するデジタル映像データに復元する。
【０１４０】
この際、各フィールドが当該フレームにおいて何番目のフィールドであるかを識別するためのフィールド識別情報は、映像処理装置３００の再生過程で行われる映像同期作業のために、何のデータも載せられていないブランク区間を用いて、ブランク区間に位置識別情報として挿入されている。
【０１４１】
ブランク区間に挿入される位置識別情報は、電気的なパルス形態を有してもよい。したがって、インタレース化フィールド逆変換処理部３１４は、受信した映像データのブランク区間において、任意の設定された電気パルスが認識されると、その認識された電気パルスからフィールド識別情報がわかる。
【０１４２】
したがって、インタレース化フィールド逆変換処理部３１４は、ブランク区間に挿入される位置識別情報を読み出すことにより、当該フィールドが第１乃至第８のフィールドのいずれかであるかを認識する。
【０１４３】
作業の効率性のために、カメラ装置１００と映像処理装置３００との間に、第１のフィールド、第２のフィールド、…、第７のフィールド、第８のフィールドの順に、映像データに対する伝送および受信が行われるというプロトコルが定義された状態では、予め設定された順序のフィールドを認識し、例えば、当該フィールドが何番目のフィールドであるかがわかる。
【０１４４】
したがって、インタレース化フィールド逆変換処理部３１４は、アナログ伝送ネットワーク２００を介して受信した任意のフィールドからフィールド識別情報を探し、フィールド識別情報が認識されて、当該フィールドを第１のフィールドとして処理すると、次の順序で入力されるフィールドが第２のフィールドとして認識され、このようにして第８のフィールドまで認識される。
【０１４５】
一方、デコーダー３１１でデコードされたデジタル映像データは、一つの伝送主体から受信されたデジタル映像であってもよいが、異なる数個の伝送主体から受信されたデジタル映像であってもよい。
【０１４６】
このような場合、インタレース化フィールド逆変換処理部３１４は、フィールド識別情報に応じてメモリ３１３に各デジタル映像を記録する動作を行うとき、デコーダー３１１でデコードされたデジタル映像データを、当該デジタル映像データを伝送した、少なくとも一つ以上の伝送主体に応じて区分し、メモリ３１３の当該領域にそれぞれ記録し、映像の復元を行う。
【０１４７】
このため、デコーダー３１１により出力される各フィールドに含まれたデジタル映像は、当該デジタル映像を伝送した伝送主体を識別するためのチャンネル識別情報と、それぞれの伝送主体に対してインタレース化フィールド変換処理を通じて生成した８個のフィールド映像を一つのフレームに復元するために、各フィールドが当該フレームにおいて何番目のフィールドであるかを識別するためのフィールド識別情報を保存している。
【０１４８】
インタレース化フィールド逆変換処理部３１４は、デコーダー３１１でデコードされたデジタル映像データに対して、当該デジタル映像データを伝送した少なくとも一つ以上の伝送主体に応じて区分し、メモリ３１３の当該領域にそれぞれ保存するために、デコーダー３１１でデコードされたデジタル映像データから、各デジタル映像を伝送した主体を識別するためのチャンネル識別情報を読み出し、そのチャンネル識別情報に応じて、各デジタル映像をメモリ３１３に区分して記録する。
【０１４９】
また、インタレース化フィールド逆変換処理部３１４は、デコーダ３１１でデコードされたデジタル映像データに対して、当該デジタル映像データを伝送した少なくとも一つ以上の伝送主体に応じて区分し、メモリ３１３の当該領域に区分して保存した場合、メモリ３１３からデジタル映像を読み出し、映像出力処理部３２０に出力するとき、伝送された主体を識別するためのチャンネル識別情報別に読み出し、映像出力処理部３２０に出力する。
【０１５０】
映像出力処理部３２０は、信号処理部３１０の信号処理により生成したメガピクセル級解像度を有するデジタル映像データを出力する。
【０１５１】
映像出力処理部３２０は、信号処理部３１０の信号処理により生成したメガピクセル級解像度を有するデジタル映像データを、ＶＧＡモニタのような映像表示装置４００に出力するために周波数変換を行うことができる。
【０１５２】
また、映像出力処理部３２０は、インタレース化フィールド逆変換処理部３１４により一つ以上の伝送主体に応じて区分し、メモリ３１２の当該領域にそれぞれのデジタル領域が保存された場合、そのそれぞれのデジタル映像を、一つの画面に同時に多様な種類の分割画面に表示するために、各デジタル映像の大きさを縮小して出力させる信号処理を行う。
【０１５３】
図８は、図７に示した本発明の一実施の形態に係るアナログ伝送ネットワークのための映像処理装置の動作流れ図である。
【０１５４】
図８を参照して、映像処理装置３００のデコーダー３１１は、アナログ伝送ネットワークを介して入力された７２０×２４０の解像度を有する８個のフィールドを受信し、各フィールドに含まれたアナログ映像信号をデジタル映像信号でデコードする（Ｓ１１）。
【０１５５】
復号化部３１２は、デコーダー３１１でデコードされた信号が暗号化された信号であるか否かを判断し（Ｓ１２）、暗号化された信号である場合、暗号解除を行い、インタレース化フィールド逆変換処理部３１４に出力する（Ｓ１３）。
【０１５６】
この際、デコーダー３１１により出力される各フィールドに含まれたデジタル映像には、各フィールドが当該フレームにおいて何番目のフィールドであるかを識別するためのフィールド識別情報が、映像処理装置３００の再生過程で行われる映像同期作業のために、何のデータも載せられていないブランク区間を用いて、ブランク区間に位置識別情報の形態で挿入されている。
【０１５７】
ブランク区間に挿入される位置識別情報は、電気的なパルス形態を有してもよい。したがって、インタレース化フィールド逆変換処理部３１４は、受信したフィールドのブランク区間において任意の設定された電気パルスが認識されると、その認識された電気パルスからフィールド識別情報がわかる（Ｓ１４）。
【０１５８】
したがって、インタレース化フィールド逆変換処理部３１４は、ブランク区間に挿入される位置識別情報を読み出し、当該フィールドが第１乃至第８のフィールドのいずれであるかがわかる。
【０１５９】
インタレース化フィールド逆変換処理部３１４は、１４４０×９６０の解像度を有する１フレームの映像に復元するために、デコーダー３１１でデコードされた７２０×２４０の解像度を有する８個のフィールドを、各フィールドの順番に合わせてインタレース化フィールド逆変換を行い、フィールドの順番通りにメモリ３１３に各フィールドのラインを記録する（Ｓ１５）。
【０１６０】
すなわち、第１のフィールドの各ラインを読み出し、メモリ３１３の当該領域に記録し、第１のフィールドの記録が完了すると、第２のフィールドの各ラインを読み出し、メモリ３１３の当該領域に記録し、カメラ装置１００で生成した１４４０×９６０の解像度を有するデジタル映像データに復元されるまで、継続して次のフィールドの各ラインを記録し、第８のフィールドの最後のラインまで読み出し、メモリ３１３の当該領域に記録する。
【０１６１】
インタレース化フィールド逆変換処理部３１４により、デコーダー３１１でデコードされて入力される８個のフィールドが、フィールドの順番通りに各ラインを記録し、カメラ装置１００で生成した１４４０×９６０の解像度を有する１フレームの記録が完了すると、当該メモリ領域を読み込んで出力する（Ｓ１６）。
【０１６２】
この際、継続してデコーダー３１１から入力される次のフレームのフィールドを、当該フレームに相応するメモリの領域に記録する動作を継続して行う。
【０１６３】
インタレース化フィールド逆変換処理部３１４の信号処理により、１４４０×９６０の解像度を有するデジタル映像データに復元すると、映像出力処理部３２０は、設定された映像処理モードに応じて映像出力動作を行うようになる。
【０１６４】
映像出力処理部３２０は、映像処理モードが映像出力モードに設定されているかを判断し（Ｓ１７）、映像処理モードが映像出力モードに設定された場合、インタレース化フィールド逆変換処理部３１４の信号処理により生成したメガピクセル級解像度を有するデジタル映像データを１４４０×９６０以上の解像度を有するＶＧＡモニタのような映像表示装置４００に出力するために、周波数変換を行う（Ｓ１８）。
【０１６５】
映像出力処理部３２０は、映像表示装置４００に出力するための周波数変換が行われると、周波数変換された映像信号をＶＧＡモニタのような映像表示装置４００から画面に出力される（Ｓ１９）。
【０１６６】
一方、映像出力処理部３２０は、映像処理モードが出力モードに設定されていない場合は、映像出力動作を行わない。映像処理モードが出力モードに設定されていない場合は、映像を出力すべき映像表示装置４００が連結されていない場合であってもよい。
【０１６７】
図９は、図７に示した本発明の一実施の形態に係るアナログ伝送ネットワークのための映像処理装置において、数個の伝送主体から受信された映像を処理する動作流れ図である。
【０１６８】
図９を参照すると、映像処理装置３００のデコーダー３１１は、アナログ伝送ネットワークーを介して入力された７２０×２４０の解像度を有する複数のフィールドに含まれたアナログ映像信号を、デジタル映像信号にデコードする（Ｓ２１）。
【０１６９】
復号化部３１２は、デコーダー３１１でデコードされた信号が暗号化された信号であるか否かを判断し（Ｓ２２）、暗号化された信号である場合、暗号解除を行い、インタレース化フィールド逆変換処理部３１４に出力する（Ｓ２３）。
【０１７０】
この際、デコーダー３１１により出力される各フィールドに含まれたデジタル映像は、当該デジタル映像を伝送した伝送主体を識別するためのチャンネル識別情報と、それぞれの伝送主体に対してインタレース化フィールド変換処理を通じて生成した８個のフィールド映像を一つのフレームに復元するために、各フィールドが当該フレームにおいて何番目のフィールドであるかを識別するためのフィールド識別情報を保存している。
【０１７１】
これにより、インタレース化フィールド逆変換処理部３１４は、デコーダー３１１から各デジタル映像が入力されると、デジタル映像を伝送した伝送主体に応じて区分し、８個のフィールドに１フレームの映像を復元するために、各フィールドから当該フィールドが当該フレームにおいて何番目のフィールドであるかを識別するために、チャンネル識別情報とフィールド識別情報を読み出す（Ｓ２２）。
【０１７２】
インタレース化フィールド逆変換処理部３１４は、入力される各フィールドから読み込まれたチャンネル識別情報とフィールド識別情報に応じて各伝送主体別に区分して、１フレームの映像で組み合わされる８個のフィールドを、当該フィールドが当該フレームの何番目のフィールドであるかに応じて、当該フィールドの各ラインをメモリ３１３の定められた領域に記録する（Ｓ２３）。
【０１７３】
インタレース化フィールド逆変換処理部３１４により、デコーダー３１１でデコードされて入力される各フィールドに含まれたデジタル映像が、各チャンネル識別情報とフィールド識別情報に応じて伝送主体別に区分され、１フレーム別に記録されると、メモリ３１３にフレーム別に保存されたデジタル映像信号を、１４４０×９６０の解像度を有するデジタル映像データに出力するために、各伝送主体別に１フレームずつを読み込んで出力する（Ｓ２４）。
【０１７４】
これにより、インタレース化フィールド逆変換処理部３１４は、各伝送主体別にデコーダー３１１でデコードされた８個の伝送フィールドを、インタレース化フィールド逆変換を通じて行われる１フレーム単位で記録されたデータを読み込んで出力する。
【０１７５】
インタレース化フィールド逆変換処理部３１４の信号処理によりメガピクセル級解像度を有するデジタル映像データが復元されて生成した状態で、設定された映像処理モードに応じて映像出力動作を行うようになる。
【０１７６】
映像出力処理部３２０は、映像処理モードが映像出力モードに設定されているかを判断し（Ｓ２７）、映像処理モードが映像出力モードに設定された場合、インタレース化フィールド逆変換処理部３１４の信号処理に応じて伝送主体別に区分され、生成した１４４０×９６０の解像度を有するデジタル映像データを一つの画面に同時に、数個の分割画面に表示するために、各デジタル映像の大きさを縮小して出力させる信号処理を行う（Ｓ２８）。
【０１７７】
映像出力処理部３２０は、縮小出力のための信号処理が行われると、一つの画面に分割して表示すべき映像を、映像表示装置４００に出力するために周波数変換を行う（Ｓ２９）。
【０１７８】
映像表示装置４００に出力するための周波数変換が行われると、映像出力処理部３２０は、周波数変換された映像信号を映像表示装置４００を通じて、伝送主体に応じて分割画面に区分して一つの画面に出力する（Ｓ３０）。
【０１７９】
一方、映像出力処理部３２０は、映像処理モードが出力モードに設定されていない場合は、映像出力動作を行わない。映像処理モードが出力モードに設定されていない場合は、映像を出力すべき映像表示装置４００が連結されていない場合であってもよい。
【０１８０】
図１０乃至図１４は、本発明の技術と先行特許（特許文献１）技術との性能比較を説明するための図である。
【０１８１】
図１０は、アナログ映像信号を示す図である。
【０１８２】
図１０を参照すると、連続した水平信号は、Ｔ、Ｔ＋１、Ｔ＋２、Ｔ＋３等の時間においてそのレベルが異なり、図のような画面を示すようになる。
【０１８３】
この際、このＴ〜Ｔ＋３間にノイズが生じた場合の画面の結果を比較する。この際、各時間により映像レベルが異なることをシミュレーション条件とする。
【０１８４】
図１１（Ａ）には、本発明の技術による画面は、画面が連続的なデータからなるので、画面の歪みの程度が極めて僅かになる。
【０１８５】
このように、本発明において提案した１４４０×９６０の高解像度フレームを一定の領域に分割せず、アナログ信号規格に合わせて、フィールドに載せて送る方式を用いる場合、分離されたフレームは、発生する時間的な連続性を失わずに連続性を有するフレームとなる。したがって、図１１（Ｂ）に示す画面の真中に目障りな垂直線が表れる現象が生じる確率が殆どない。
【０１８６】
これに対して、先行特許において提案した方法として、イメージを分割して完全に異なる時間帯にその信号を送り、完全に異なる時間帯中にある時間帯に外部のノイズが生じたことにより、その影響により、図１１（Ｂ）のように、画面の真中にレベル差による深刻な目障りの垂直線が表れることがわかる。
【０１８７】
先行特許の技術において、このように真中の垂直線は、図１２に示すように、外部ノイズによりアナログ映像信号の電位差が発生し、Ｖｄという差を示すことにより生じる現象である。
【０１８８】
若し、アナログ映像表示規格のように一つのラインが時間差を発生させず、連続的に伝送されると、Ｖｄという差が示される確率は極めて少ない。例えば、アナログ映像信号は、２７ＭＨｚのサンプリング周波数と８ビット量子化を用いて、デジタル信号に変換される。すると、一つのピクセルは、３７ｎｓ（１ｓｅｃ／２７ＭＨｚ）の時間間隔で伝送される２つのデジタル映像データで表現される。したがって、Ｔ＋２でのピクセルとＴ＋３でのピクセルが連続したデータとすれば、Ｔ＋２とＴ＋３の時間間隔は、７４ｎｓとなる。
【０１８９】
アナログ映像表示規格よりも高い解像度を有するメガピクセルのようなデジタル映像データをアナログ映像表示規格を用いて伝送するためには、そのメガピクセル映像は、サブフレームに分けられなければならない。メガピクセル映像が、Ｎ個のサブフレームに分けられ、先行特許において提案した方法で伝送される場合、Ｔ＋２とＴ＋３の時間間隔は、約３３ｍｓ（ｖＴ＋Ｔ＋３）となる。したがって、Ｔ＋２での映像とＴ＋３での映像は、連続的ではない。
【０１９０】
したがって、連続的なラインの伝送の際に、外部ノイズにより影響される確率が７４とすれば、先行特許において提案した方法で、高解像度フレームをＮ個のサブフレームに分けて伝送すると、外部ノイズにより影響される確率は最大３３，０００，０００となる。すなわち、外部ノイズにより影響される確率が４４５，９４６倍に達することである。
【０１９１】
これに対して、本発明において提案した高解像度フレームをアナログ信号規格に合わせてフィールドに載せて送る方式で伝送すると、外部ノイズにより影響される確率は、最大１２，２１０となる。
【０１９２】
したがって、本特許は、先行特許に比べ、外部ノイズにより影響される確率は、約２７０３倍減らした１６５となる。
【０１９３】
アナログ映像信号は、連続的な信号であり、その電位の最大と最小との差は１ボルト（Ｖ）に過ぎない。このアナログ信号の１Ｖの電位差を、そのＶのレベルに応じて８ビットデジタル信号に変えるようになる。すなわち、１Ｖの電位を１／２５６Ｖに分けて、それぞれのレベルに色相を指定するようになることである。しかし、この際、連続的な、また、そのレベルが同じでなければならないラインの場合、１／２５６の極めて細密な電位差にも人間の目は反応するという事実から、外部ノイズの影響により示される画面の真中の垂直線が発生するという点は、深刻に考慮されなければならない。
【０１９４】
若し、図１２において、ｖＴ＋Ｔ＋３〜ｖＴ＋Ｔ＋４の区間の間、継続してノイズが生じる場合は、図１３に示すように、フレームの約１／４が損なわれる結果をもたらす。
【０１９５】
また、図１２において、一定期間の間外部ノイズが生じると、先行特許の技術のような高解像度フレームをＮ個のサブフレームに分離して伝送する方法を用いる場合は、分離された画面が損傷し、全体の高解像度フレームの多くの部分を失ってしまう現象が現れるが、本発明で提案した高解像度フレームを一定の領域に分割せず、アナログ信号規格に合わせてフィールドに載せて送る方式を用いた場合は、８個のフィールドのうち、一つのフィールドが損なわれても、残りの７個のフィールドが高解像度フレームの全体領域のデータを全て含んでいるので、８個のライン当たり１ライン程度の損傷をもたらすだけであり、高解像度フレームに復元した場合、高解像度フレームの全体領域を人間の目で識別可能になる。図１５は、本発明に係る技術と先行特許の映像損傷の結果を示す図である。
【０１９６】
本発明は、好適な実施の形態を参照して説明された。しかし、具体的に説明されたもの以外の多くの実施の形態もまた、本発明の思想および範囲内に入ることを、関連分野の当業者は理解されるだろう。
【０１９７】
例えば、本発明の一実施の形態では、カメラ装置１００において、１４４０×９６０の解像度を有するメガピクセル級映像を最大７２０×４８０の解像度の映像フレームを１秒当たり３０フレームずつ伝送するＮＴＳＣアナログ伝送ネットワークを用いる場合について説明した。
【０１９８】
しかし、本発明における１４４０×９６０の解像度は一実施の形態により設定された値であり、多様な変形例が可能であり、ＮＴＳＣアナログ伝送ネットワークのみならず、多様なアナログ伝送ネットワークに変形されて適用可能である。
【０１９９】
また、本発明の一実施の形態では、カメラ装置と映像処理装置に設けられるメモリが１つである場合を挙げて説明したが、２つまたはそれ以上のメモリを用いて具現してもよい。
【０２００】
例えば、２つのメモリを用いて、第１のメモリに、データを記録する間、第２のメモリからデータを読み出して出力し、モードが切り換えられ、第１のメモリに記録されたデータを読み出して出力する間、第２のメモリにデータを記録してもよい。
【０２０１】
また、本発明の一実施の形態では、カメラ装置と映像処理装置に暗号化部と復号化部を設けたものについて説明したが、別途の暗号化過程が必要ない場合は、必要に応じて、カメラ装置と映像処理装置に暗号化部と復号化部を設けない変形例がいくらでも可能である。
【０２０２】
また、本発明の一実施の形態では、カメラ装置と映像処理装置に暗号化部と復号化部を設ける際に、暗号化部がインタレース化フィールド変換部とエンコーダとの間に並列構成で連結され、復号化部がデコーダーとインタレース化フィールド逆変換部との間に並列構成で連結されることについて説明した。
【０２０３】
しかし、インタレース化フィールド変換部とエンコーダーが暗号化部を経て連結されるようにし、必要に応じて、暗号化を行う際は、暗号化部を活性化させ、暗号化動作を行わせ、暗号化を行わない際は、インタレース化フィールド変換部の出力を別途の信号処理をせず、そのままエンコーダーに伝達させる変形例が可能である。
【０２０４】
同様に、デコーダーとインタレース化フィールド逆変換部が必ず復号化部を経て連結されるように構成し、暗号化された信号を暗号解除しなければならない場合は、復号化部を活性化させ、暗号解除動作を行わせ、暗号解除動作が必要ではない場合は、デコーダーの出力信号を別途の信号処理をせず、そのままインタレース化フィールド逆変換処理部に伝達させる変形例が可能である。
【０２０５】
また、本発明の一実施の形態では、映像処理装置に設けられた映像出力処理部は、映像処理モードが出力モードに設定されている場合、信号処理部により信号処理された映像信号を映像表示装置に出力することについて説明した。
【０２０６】
しかし、映像出力処理部は、映像処理装置に任意のデータ保存装置が連結される場合、信号処理部により信号処理された信号を圧縮し、当該データ保存装置に保存するように出力する動作を行わせる変形例が可能である。
【図面の簡単な説明】
【０２０７】
【図１】本発明の一実施の形態に係るアナログ伝送ネットワークのためのデジタル映像処理を行う映像処理システムの構成ブロック図である。
【図２】本発明の一実施の形態に係る映像処理システムにおいて、インタレース化フィールド変換処理を通じて、メガピクセル級解像度のデジタル映像データを処理する技術を説明するための概略図である。
【図３】本発明に係るカメラ装置と映像処理装置を連結するアナログ伝送装置で処理すべきアナログ方式のテレビ放送規格に従う信号の例を示す図である。
【図４】本発明の一実施の形態に係る映像処理システムにおいて、インタレース化フィールド変換処理を行う原理を説明するための画面例示図である。
【図５】図１における本発明の一実施の形態に係るアナログ伝送ネットワークのためのカメラ装置の構成ブロック図である。
【図６】図５に示した本発明の一実施の形態に係るアナログ伝送ネットワークのためのカメラ装置の動作流れ図である。
【図７】図１における本発明の一実施の形態に係るアナログ伝送ネットワークのための映像処理装置の構成ブロック図である。
【図８】図７に示した本発明の一実施の形態に係るアナログ伝送ネットワークのための映像処理装置の動作流れ図である。
【図９】図７に示した本発明の一実施の形態に係るアナログ伝送ネットワークのための映像処理装置において、数個のメガピクセルカメラ装置から受信された映像を多様な種類の分割画面に表示するための動作流れ図である。
【図１０】本発明の技術と先行特許技術との性能比較を説明するための図である。
【図１１】本発明の技術と先行特許技術との性能比較を説明するための図である。
【図１２】本発明の技術と先行特許技術との性能比較を説明するための図である。
【図１３】本発明の技術と先行特許技術との性能比較を説明するための図である。
【図１４】本発明の技術と先行特許技術との性能比較を説明するための図である。
【符号の説明】
【０２０８】
１００    カメラ装置
１１０    撮影部
１２０    信号処理部
１２１    メモリ
１２２    インタレース化フィールド変換処理部
１２３    エンコーダー
１２４    暗号化部
２００    アナログ伝送ネットワーク
３００    映像処理装置
３１０    信号処理部
３１１    デコーダー
３１２    復号化部
３１３    メモリ
３１４    インタレース化フィールド逆変換処理部
３２０    映像出力処理部
４００    映像表示装置
【図１】
2008104146.tif 000003
【図２】
2008104146.tif 000004
【図３】
2008104146.tif 000005
【図４】
2008104146.tif 000006
【図５】
2008104146.tif 000007
【図６】
2008104146.tif 000008
【図７】
2008104146.tif 000009
【図８】
2008104146.tif 000010
【図９】
2008104146.tif 000011
【図１０】
2008104146.tif 000012
【図１１】
2008104146.tif 000013
【図１２】
2008104146.tif 000014
【図１３】
2008104146.tif 000015
【図１４】
2008104146.tif 000016